(57)【要約】  厚い（０．２ｍｍ〜１ｍｍ）金属表面仕上げパネルおよび繊維強化されたポリマーフォームコアを有する断熱パネルを調製するための連続プロセスが開示される。プロセスにおいて、底部金属表面仕上げパネルは、連続的に供給される。強化繊維のマットおよび発泡性樹脂組成物が、底部表面仕上げパネルに適用される。可撓性バリア層が、発泡性樹脂組成物上に適用され、アセンブリは、ニップロールを通過して、アセンブリを圧縮し、樹脂組成物を繊維マットに押し付ける。次いで接着剤層および頂部金属性表面仕上げ層は、可撓性バリア層の頂部に適用され、得られたアセンブリは、一致され、ダブルバンドラミネータを通過させることによって硬化される。
2015530941.tif 000002
【特許請求の範囲】
【請求項１】
金属性表面仕上げシートを有するフォームラミネートを調製するための連続プロセスであって、
ａ）０．２〜１．０ｍｍの厚さを有する金属層を含む底部金属性表面仕上げシートを移動表面上に連続的に供給する工程；
ｂ）繊維マットおよび硬化性の発泡性樹脂組成物を、移動する底部金属性表面仕上げシートに連続的に適用する工程；
ｃ）発泡性樹脂組成物を完全に膨張させる前に、繊維マットおよびフォーム形成樹脂組成物の頂部に実質的に可撓性のバリア材料の層を連続的に適用する工程；
ｄ）発泡性樹脂組成物を完全に膨張させる前に、底部金属性表面仕上げ層、繊維マット、樹脂組成物および可撓性バリア材料を、制限領域に連続的に通過させ、底部金属性表面仕上げ層、繊維マット、樹脂組成物および可撓性バリア材料を共に圧縮し、樹脂組成物が繊維マットに入り込み、繊維マットに含浸し、可撓性バリア材料を樹脂組成物と接触させるようにする工程；
ｅ）次いで可撓性バリア材料の層の頂部に接着剤層の層を連続的に適用する工程；
ｆ）次いで接着剤層の頂部に０．２〜１．０ｍｍの厚さを有する金属層を含む頂部金属性表面仕上げシートを連続的に適用する工程、および
ｇ）得られたアセンブリをダブルバンドラミネータを通過させて、頂部金属性表面仕上げシートを接着剤層と接触させ、アセンブリを所定の厚さに一致させ、必要により樹脂組成物、接着剤層、または樹脂組成物および接着剤層の両方をさらに硬化してフォームラミネートを形成する工程
を含む、プロセス。
【請求項２】
前記発泡性樹脂組成物が、前記頂部金属性表面仕上げ層を適用する前に、少なくとも部分的に膨張され、および少なくとも部分的に硬化される、請求項１に記載のプロセス。
【請求項３】
前記発泡性樹脂組成物がイソシアネート系である、請求項１または２に記載のプロセス。
【請求項４】
前記繊維マットが２０〜８０ｇ／ｍ２の重量を有する、請求項１から３のいずれかに記載のプロセス。
【請求項５】
前記繊維マットがガラス繊維のマットである、請求項１から４のいずれかに記載のプロセス。
【請求項６】
前記可撓性バリア材料が、非多孔性層と片面または両面において接着されたガラスまたは他のセラミック繊維の層を含む多層構造である、請求項１から５のいずれかに記載のプロセス。
【請求項７】
前記可撓性バリア材料の層が２０〜１００ｍｍの厚さを有する、請求項１から６のいずれかに記載のプロセス。
【請求項８】
前記金属性表面仕上げシートの金属層が鋼である、請求項１から７のいずれかに記載のプロセス。
【請求項９】
工程ｂ）の前または工程ｂ）の間に、前記底部金属性層と前記発泡性樹脂組成物との間に接着剤の層を堆積する工程をさらに含む、請求項１から８のいずれかに記載のプロセス。
【請求項１０】
前記底部金属性層と前記発泡性樹脂組成物との間に堆積された接着剤層が、繊維マットより前にまたは繊維マットと同時に堆積される、請求項９に記載のプロセス。
【請求項１１】
前記発泡性樹脂組成物が、２０〜２４０ｍｍの厚さに膨張する、請求項１から１０のいずれかに記載のプロセス。
【請求項１２】
前記断熱パネルが２５〜２５０ｍｍの厚さを有する、請求項１から１１のいずれかに記載のプロセス。
【請求項１３】
０．２〜１．０ｍｍの厚さを有する金属層を含む底部金属性表面仕上げシート２と、繊維マット１０により少なくともその厚さの一部を通して強化されたポリマー性フォーム層２１であって、このポリマー性フォーム層２１が、底部金属性シート２に直接または間接的に接着されているフォーム層と、繊維強化されたポリマー性フォーム層２１に接着された可撓性バリア材料５の層と、可撓性のバリア材料５に接着された接着剤層４と、接着剤層４によって可撓性バリア材料５の層に接着された０．２〜１．０ｍｍの厚さを有する頂部金属性表面仕上げシート１と、を含む断熱パネル。
【請求項１４】
前記繊維マット１０が２０〜８０ｇ／ｍ２の重量を有する、請求項１３に記載の断熱パネル。
【請求項１５】
前記繊維マット１０がガラス繊維のマットである、請求項１３または１４に記載の断熱パネル。
【請求項１６】
前記可撓性バリア材料が、非多孔性層の片側または両側に接着されたガラスまたは他のセラミック繊維の層を含む多層構造である、請求項１３から１５のいずれかに記載の断熱パネル。
【請求項１７】
前記可撓性バリア材料５の層が２０〜１００ｍｍの厚さを有する、請求項１３から１６のいずれかに記載の断熱パネル。
【請求項１８】
金属性表面仕上げシート１および２の前記金属層が鋼である、請求項１３から１７のいずれかに記載の断熱パネル。
【請求項１９】
底部金属性層１とポリマー性フォーム層２１との間に接着剤６の層をさらに含む、請求項１３から１８のいずれかに記載の断熱パネル。
【請求項２０】
ポリマー性フォーム層２１が、２０〜２４０ｍｍの厚さを有する、請求項１３から１９のいずれかに記載の断熱パネル。
【請求項２１】
２５〜２５０ｍｍの厚さを有する、請求項１３から２０のいずれかに記載の断熱パネル。
【発明の詳細な説明】
【技術分野】
【０００１】
本発明は、金属性表面仕上げシートを有するフォーム複合体パネルを製造する方法に関する。
【背景技術】
【０００２】
断熱パネルは、家、建物、冷蔵施設、船舶および他の構築物を断熱するために広く使用される。１つのタイプの断熱パネルは、ポリマー性フォームコアおよび金属性シート表面仕上げパネルを含む。このタイプの構築物は、断熱、機械的強度および難燃性の良好な組み合わせを提供することができる。いくつかの理由から、ポリマーフォーム層内に繊維強化材を含むことが望ましい場合がある。繊維強化材は、パネルの物理的特性およびその燃焼試験における性能の両方を向上させることができる。
【０００３】
種々のプロセスが、断熱パネルを製造するために使用できる。表面仕上げ材およびコア材料のタイプに依存して異なるプロセスが使用される。面が非常に薄い可撓性材料である場合は単一の連続プロセスにおいて断熱パネルを製造することが公知である。パネルが２つのより厚い金属性表面仕上げパネルを含む場合、特にポリマー性コアも繊維強化されるべきである場合には、連続製造はより困難になる。単一操作においては、繊維性強化材をポリマー性フォームで含浸し、フォームを膨張させ、表面仕上げシートを適用するのが困難になる。このため、これらのパネルの製造は、別個の製造プロセスに分割される。このことが設備および操作コストを増大させる。これらのパネルを製造するためのより効率の良い、経済的なプロセスが必要とされている。
【発明の概要】
【課題を解決するための手段】
【０００４】
本発明は、金属性表面仕上げシートを有するフォームラミネートを調製するための連続プロセスであり、
ａ）０．２〜１．０ｍｍの厚さを有する金属層を含む底部金属性表面仕上げシートを移動表面上に連続的に供給する工程；
ｂ）繊維マットおよび硬化性の発泡性樹脂組成物を移動する底部金属性表面仕上げシートに連続的に適用する工程；
ｃ）発泡性樹脂組成物を完全に膨張させる前に、繊維マットおよびフォーム形成樹脂組成物の頂部に可撓性のバリア材料の層を連続的に適用する工程；
ｄ）発泡性樹脂組成物を完全に膨張させる前に、底部金属性表面仕上げ層、繊維マット、樹脂組成物および可撓性バリア材料を、制限領域に連続的に通過させ、底部金属性表面仕上げ層、繊維マット、樹脂組成物および可撓性バリア材料を共に圧縮し、樹脂組成物が繊維マットに入り込み、繊維マットを含浸し、可撓性バリア材料を樹脂組成物と接触させるようにする工程；
ｅ）次いで、可撓性バリア材料の層の頂部に接着剤層の層を連続的に適用する工程；
ｆ）次いで接着剤層の頂部に０．２〜１．０ｍｍの厚さを有する金属層を含む頂部金属性表面仕上げシートを連続的に適用する工程、および
ｇ）得られたアセンブリをダブルバンドラミネータに通過させ、頂部金属性表面仕上げシートを接着剤層と接触させ、アセンブリを所定の厚さに一致させ、樹脂組成物、接着剤層または樹脂組成物および接着剤層の両方を硬化してフォームラミネートを形成する工程
を含む。
【０００５】
このプロセスは、２つの金属性表面仕上げ層および繊維強化されたポリマー性フォームコアを用いて単一の連続操作により断熱パネルの製造を可能にする。プロセスは、硬化性の発泡性樹脂組成物で繊維マットを良好に含浸でき、これによりポリマーフォーム層の良好な繊維強化を導き、従って良好な機械的特性を導く。そのため、このプロセスは、設備をあまり必要とせず、操作コストを削減し、標準化された燃焼試験によって示されるように優れた断熱能と優れた難燃性との両方を有する製品を製造する。
【０００６】
本発明のプロセスの製品は、少なくとも以下の層を含有する断熱パネルである：０．２〜１．０ｍｍの厚さを有する金属層を含む底部金属性表面仕上げシート；繊維マットにより少なくともその厚さの一部を通して強化されたポリマー性フォーム層であって、このポリマー性フォーム層が、底部金属性シートに直接または間接的に接着されているフォーム層；繊維強化されたポリマー性フォーム層に接着された可撓性バリア材料の層；実質的に可撓性のバリア材料の層に接着された接着剤層、および接着剤層によって可撓性バリア材料の層に接着された０．２〜１．０ｍｍの厚さを有する頂部金属性表面仕上げシート。任意選択による種々の層を、より完全に以下で説明されるように、プロセスに挿入できる。
【図面の簡単な説明】
【０００７】
【図１】本発明のプロセスの実施形態の概略図である。
【図２】本発明に従って製造された断熱パネルの実施形態の断面図である。
【図３】本発明のプロセスの一部の代替実施形態の概略図である。
【図４】本発明のプロセスの一部の第２の代替実施形態の概略図である。
【発明を実施するための形態】
【０００８】
図１を参照すると、底部金属性表面仕上げシート２は連続的に供給されて、移動する底部表面仕上げシートを形成し、この上に、後に導入される材料を堆積させる。底部金属性表面仕上げシート２は、種々のタイプの機械的設備を用いて供給および移動させることができる。例えば、金属性表面仕上げシート２は、移動するプラットフォーム、例えばエンドレスベルト、一連の駆動ローラー、テンターフレームまたは他の装置上に供給できる。金属性表面仕上げシート２は、ダブルバンドラミネータ１１によってまたは他の何らかの下流引張デバイス（図示せず）を通して、プロセスを通して引張ることができる。
【０００９】
繊維マット１０および硬化性の発泡性樹脂組成物１９は、移動する底部金属性表面仕上げシート２上に適用される。示される実施形態において、樹脂組成物１９は、繊維マット１０の上流で堆積される。しかし、図３および４に示されるように、繊維マット１０の下流で樹脂組成物１９を堆積させることも可能である。繊維マット１０および樹脂組成物１９をプロセス中の同じ点で堆積させることも可能である。
【００１０】
繊維マット１０は、いずれかの好適な設備（図１に示されるような一連のローラー１６を含む）を用いて堆積できる。一旦堆積されたら、繊維マット１０は、金属性表面仕上げシート２によってプロセスを通して運ばれ、または金属性表面仕上げシート２と共にプロセスを通して加圧および／または引張られることができる。
【００１１】
硬化性の発泡性樹脂組成物１９は、同様に、種々のタイプの分配設備（当分野において周知のタイプの設備を含む）を用いて堆積できる。好適な設備としては、例えばトラバースホース、１つ以上の静止ミックスヘッド、１つ以上のスプレーノズル、または流体を分配するための他の好適な装置が挙げられる。図１において、こうした分配設備は、一般に参照記号Ａによって示される。硬化性の発泡性樹脂組成物を堆積するための設備はまた、樹脂組成物の構成成分を貯蔵するための種々の槽または他の容器、こうした構成成分および／または配合された樹脂組成物を計量するための計量手段；樹脂組成物を形成するために構成成分を混合するための混合手段、樹脂組成物の構成成分をこれらそれぞれの貯蔵容器から混合手段および／または分配装置を通して移動させるためのポンプ輸送手段を含んでいてもよい。硬化性の発泡性樹脂組成物の構成成分を混合および分配するために好適な設備は、例えばＣａｎｎｏｎ、ＳＡＩＰおよびＫｒａｕｓｓ  Ｍａｆｆｅｉから市販されている。
【００１２】
所望により、分配された樹脂組成物は、設備、例えば一組のニップロールまたはドクターブレードを用いてプロセスのこの点において、層に形成されてもよく、および／または一致させてもよい。
【００１３】
再び図１を参照して、実質的に非多孔性の可撓性材料５の層が、繊維マット１０および樹脂組成物１９の頂部に連続的に適用される。可撓性材料５は、樹脂組成物１９が完全に膨張される前に適用される。樹脂組成物１９は、多くの場合、堆積されるとすぐに反応を開始し、膨張し、堆積されたときであっても膨張過程にあるときもある。従って、発泡性樹脂組成物１９は、図１に示されるように、可撓性材料５が適用される場合に部分的に既に膨張していてもよい。より遅い反応の樹脂組成物は、この点では測定可能な程度には膨張していないことがある。いかなる場合においても、可撓性材料５は、樹脂組成物１９が完全に膨張する前に堆積されるべきである。
【００１４】
底部金属性表面仕上げ層２、繊維マット１０、樹脂組成物１９および可撓性材料５を含む得られたアセンブリを、次いで制限領域１４に連続的に通過させる。この工程は、発泡性樹脂組成物１９が完全に膨張する前に行われる。制限領域１４は、種々の層が制限領域１４に入る直前の種々の層の合わせた高さ以下、好ましくはこうした高さよりわずかに小さい（例えば２〜２５％）の高さを有する。このため、底部金属性表面仕上げ層２、繊維マット１０、樹脂組成物１９および可撓性材料５は、制限領域１４において共に圧縮される。材料が制限領域１４を通過するときに、樹脂組成物１９は、繊維マット１０に入り込み、繊維マット１０を含浸し、底部側の可撓性材料５は、樹脂組成物１９と接触する。
【００１５】
図１に示される実施形態において、制限領域１４は、ローラー１２および１３によって規定され、これらは、所定の距離で離れるように設定されており、従って制限領域１４の高さを規定する。
【００１６】
制限領域１４を出るアセンブリは、樹脂組成物１９（部分的に膨張されてもよい）で含浸された繊維マット１０の層１７を含む。層１７は、底部金属性表面仕上げ層２と可撓性材料５との間に挟持される。可撓性材料５がバリア層として作用するので、樹脂組成物１９は、これらの底部表面と接触するが、それらを通して浸透せず、こうした理由から、ローラー１２または制限領域１４を規定する他の機械的デバイスと接触しない。
【００１７】
アセンブリが制限領域１４を出た後、接着剤層４が、可撓性材料５の頂部に連続的に適用される。種々のタイプの分配、混合、計量、展延および／または一致設備が使用されて、接着剤層４を形成できるが、これらとしては樹脂水組成物１９に関して上記で記載されるようなタイプが挙げられる。図１において、この分配設備は、一般に参照記号Ｂによって示される。樹脂組成物１９は、接着剤層４が適用される点において、膨張していなくてもよく、部分的に膨張してもよく、または完全に膨張してもよい。図１に示される実施形態において、樹脂組成物１９は、接着剤層４が導入される点において部分的にのみ膨張している。
【００１８】
頂部金属性表面仕上げ層１を適用する前に、樹脂組成物１９は、少なくとも部分的に膨張および／または部分的に硬化してもよい。部分的な硬化により、膨張している樹脂組成物が、頂部金属性表面仕上げシート１の重量を支持するのに役立ち得る。膨張は、既に記載したように、接着剤層４が適用される前、適用される間および／または適用された後に生じ得る。同様に硬化（通常、膨張と同時に進行するが、部分的には膨張工程の後に続き得る）は、接着剤層４の適用前、または好ましくは適用の間または適用後に行われることができる。頻繁には特に樹脂組成物１９がイソシアネートに基づく場合、膨張ガスの発生、ひいては膨張工程自体は、硬化反応の一部をなし、こうした場合に、少なくとも部分的に硬化工程と同時に生じるが、一部の追加硬化反応は、吹込みガスが生じた後および膨張が完了した後に継続してもよい。部分的に硬化され、膨張した樹脂組成物１９が頂部金属性表面仕上げ層１の重量を支持し得る場合、頂部金属性表面仕上げ層１を適用する前に樹脂組成物１９を完全に硬化させる必要はない。
【００１９】
頂部金属性表面仕上げシート１は、接着剤層４上に連続的に適用される。頂部金属性表面仕上げシート１を送達する様式は、特に重要ではない。広範囲の機械的デバイスが、頂部金属性表面仕上げシート１を適用するために使用できる（底部金属性表面仕上げシート２に関して記載されたデバイスのいずれをも含む）。
【００２０】
頂部金属性表面仕上げシート１がプロファイルされる場合、接着剤層４は、その底部表面を水平にするまで表面仕上げシートの凹型領域を満たし得る。
【００２１】
その後、得られたアセンブリは、ダブルバンドラミネータ１１を連続的に通過して、頂部金属性表面仕上げシート１を接着剤層４と接触させ、このアセンブリを所定の厚さに一致させ、必要に応じて樹脂組成物１９および／または接着剤層４の硬化を完了させて、フォームラミネート２０を形成する。硬化の際、樹脂組成物１９はポリマー性フォーム層２１を形成し、これは、繊維マット１０によってその厚さの少なくとも一部を通して強化される。ゲージ（すなわち、ラミネータ１１の頂部バンド１１ａと底部バンド１１ｂとの距離）は、パネル厚さを規定する。アセンブリがラミネータ１１を通過するとき、頂部バンド１１ａは、頂部金属性表面仕上げ層１に対して弱い下方応力を生じ、それを接着剤層４と接触させ、接着させる。膨張した樹脂組成物は、この工程で幾分圧縮され得るが、圧力は、フォームを破壊するまたは大きな背圧を生じる程には大きくしてはならない。接着剤層４および任意選択による接着剤層６（以下に記載されるように）は、熱硬化を必要とし、この熱硬化はこの積層工程の間に少なくとも部分的に生じ、頂部金属性表面仕上げ層４を、強化されたフォーム層２１に接着させるのが好ましい。熱は、樹脂組成物１９および／または接着剤層４の硬化を駆動するのに必要とされる場合に、片面または両面を通して適用されてもよい。
【００２２】
得られたラミネート２０は、ダブルバンドラミネータ１１の後方端部から連続的に排出される。次いでラミネート２０は、通常、任意の所望の長さに切断され（例えばナイフ１５によって、または好ましくはバンドまたは円形ソーによって）、必要によりまたは所望によりポスト硬化され、倉庫保管および／または出荷のために包装される。
【００２３】
頂部金属性表面仕上げ層１および底部金属性表面仕上げ層２はそれぞれ単層または多層材料であり、０．２〜１．０ｍｍの厚さを有する少なくとも１つの金属性層を含む。金属性層は、操作温度にて固体である任意の金属であってもよいが、この目的のために好ましい金属は、鋼、ステンレス鋼、アルミニウム、ニッケル、亜鉛、チタン、青銅、銅、黄銅、マグネシウム、およびこれらのいずれかの種々の合金である。鋼は、低コストおよび所望の機械的特性の基準から最も好ましい。金属性層は平坦であってもよいが、プロファイルされることもできる（例えば溝付きまたはその長さに沿ったチャンネル付き）。金属性層は、接着剤層４に接着する能力を改善するために、例えばコロナ放電によって表面処理されてもよい。金属性層はまた、本発明のプロセスに導入する前に加熱されてもよい。プロファイリング、表面処理および／または加熱工程は、本発明のプロセスに一体化されてもよい。
【００２４】
金属性層は、金属性表面仕上げ層の単独構成成分であってもよい。あるいは金属性表面仕上げ層のいずれかまたは両方は、他の材料の１つ以上の層、例えば紙、保護コーティング、塗料、装飾ベニヤ板などを含有するラミネートであってもよい。ラッカー塗装の鋼パネルは、金属性表面仕上げ層として特に好適である。頂部金属性表面仕上げ層１および底部金属性表面仕上げ層２は、同一であってもよく、または互いに異なっていてもよい。
【００２５】
繊維マットは、例えば整列した連続繊維；連続ロービング；ランダム配向された短繊維（長さが１５ｃｍ以下）または長繊維であってもよい。繊維マットの繊維は、発泡性樹脂組成物が膨張および硬化するときに上方に少なくとも部分的に運ばれるので、繊維強化材は、樹脂組成物が形を成すときに形成されるフォームコア層の厚さ全体を通して膨張するのが好ましい。このため、一部の実施形態において繊維マットの繊維は機械的に接着され（例えばエンタングルメント、縫合および／またはニードルパンチを通して）、熱接着されおよび／または接着剤接着され、織られまたは編まれることもできるが、好ましいマットにおいて繊維は、好ましくは熱接着または接着剤接着されず、最大でも軽くエンタングルされる程度であるので、繊維は、互いに対して容易に移動でき、少なくともその一部は、樹脂組成物の膨張につれて上方に運ばれ得る。繊維は、好ましくはパネル製造プロセスの間に直面する温度において熱安定性である材料から製造され、ポリマー性フォーム材料よりも堅い。ガラスは、好ましいタイプの繊維であるが、他のタイプ、例えば他のセラミック材料（ミネラルウール、窒化ホウ素、窒化ケイ素などを含む）、金属、炭素、高融点ポリマー性繊維、および天然繊維、例えば羊毛、綿、ジュート、大麻、または絹が有用である。コスト、利用可能性および全体的に良好な性能に基づいてガラス繊維が好ましい。好ましい繊維マット重量は、例えば２０〜８０ｇ／ｍ２の重量であってもよい。繊維マットは、２つ以上の積み重ねられた層の形態で提供されてもよい。繊維マットの全体厚さ（樹脂組成物の硬化の間に膨張する前）は、例えば３〜１０ｍｍであってもよい。
【００２６】
硬化性の発泡性樹脂組成物１９は、気泡性のポリマーフォームを製造するためのプロセスにおいて反応するポリマー前駆体および吹込み剤および／または吹込み剤前駆体の混合物である。硬化性の発泡性樹脂組成物１９は、好ましくは１６〜３２０ｋｇ／ｍ３、より好ましくは２４〜８０ｋｇ／ｍ３の自由発泡密度を有するフォームを製造するように配合される。「自由発泡」密度は、垂直方向への膨張を制限することなく、繊維マットの不存在下、樹脂組成物のサンプルを硬化し、こうして製造されるフォームの密度を測定することによって決定される。こうして製造される気泡性ポリマーフォームは、好ましくは硬質フォームである。
【００２７】
イソシアネート系樹脂組成物は、これらの組成物が初期粘度が低い状態で配合できるので（これにより、繊維マットの繊維間の隙間に組成物が容易に浸透する）、およびイソシアネート系樹脂組成物が、膨張し、迅速に硬化するように配合でき、有用な特性を有するポリマーフォームを形成できるので、極めて好ましい。イソシアネート系樹脂組成物は、ウレタン基、尿素基、および／またはイソシアネート基を有するポリマーを製造するために配合されてもよい。特に好ましいタイプのイソシアネート系樹脂組成物は、これらのタイプのフォームが高い断熱および優れた強度対重量比の優れた組み合わせを示すので、ポリイソシアヌレートまたはポリウレタンポリイソシアヌレートフォーム形成組成物である。
【００２８】
好適なイソシアネート系樹脂組成物は周知である。例えば国際公開第２０１０／１１４７０３号および同第２００７／０２５８８号に記載されるものが好適である。一般に、イソシアネート系樹脂組成物は、少なくとも１つのポリイソシアネート化合物、少なくとも１つの吹込み剤、少なくとも１つのポリオール、およびイソシアネート基とこれら自体との、および／またはイソシアネート基と組成物中のイソシアネート反応性材料（例えばポリオールおよび存在し得る場合には水）との反応のための少なくとも１つの触媒（イソシアヌレート基を製造するために）を含む。
【００２９】
可撓性バリア材料の層は、硬化性発泡性樹脂組成物が、制限領域１４を形成するために使用される設備と接触することを防止する。そのため、これは、非多孔性であるか、またはこれが孔または開口部を有する場合には、こうした孔または開口部は、プロセスの間に可撓性バリア材料を通して硬化性の発泡性樹脂組成物を浸透しないように十分小さい。「可撓性」とは、シートの組成物および厚さが、永続的な損傷も歪曲も生じることなく、１インチ（２．５４ｃｍ）以下、好ましくは０．２５インチ（６．２５ｍｍ）以下の曲げ半径に可逆的に曲げることができるようなものであることを意味する。可撓性材料は、好ましくは本発明のプロセスの条件下で熱安定性であり、硬化性の発泡性樹脂組成物に溶解もせず、この組成物によって劣化もしない。
【００３０】
種々の材料が可撓性バリア材料として有用である。これらのうち、紙：ポリマーフィルムおよび／またはポリマーフォーム（熱可塑性ポリマーフィルムおよびフォーム、例えばポリオレフィン、ポリエステル、ポリ（塩化ビニリデン）、ポリアミド、ポリカーボネート、ポリウレタン；金属箔、例えばアルミニウム箔など；織布または不織布を挙げることができる。可撓性バリア材料は、２つ以上の層を含有する多層構造であってもよく、このうち少なくとも１つが樹脂組成物の通過に対してバリアを形成する。例えば、可撓性バリア材料は、非多孔性層に接着される多孔性層を含んでいてもよい。こうした可撓性バリア材料の例としては、気泡性ポリマー、顆粒材料もしくは繊維性材料または非多孔性層に接着した他の多孔性材料、例えば紙シート、ポリマーフィルムの層などの層が挙げられる。好ましいタイプの可撓性バリア材料は、非多孔性層、例えば紙またはポリマーフィルムの片側または両側に接着したガラスまたは他のセラミック繊維の層を含む多層構造である。特に好ましいタイプの可撓性バリア材料は、紙層に対して片側または両側に接着した鉱物ウールの層である。
【００３１】
可撓性バリア材料の層は、例えば２０〜１００ｍｍの厚さを有していてもよい。
【００３２】
接着剤層４は、例えばホットメルト接着剤または好ましくは硬化性タイプ、例えばエポキシ接着剤またはイソシアネート系接着剤であることができる。好適なエポキシ接着剤は、周知であり、例えば国際公開第２００６／０９３９４９号および同第２００６／０５２７２６号に記載されている。これらのエポキシ接着剤は、エポキシ樹脂、硬化剤および少なくとも１つのエポキシ硬化触媒を含む。好適なポリウレタンおよびポリウレタン−ポリイソシアヌレート接着剤も周知であり、例えば国際公開第２０１１／０４５１３９号に記載される。ポリウレタンおよびポリウレタン−ポリイソシアヌレート接着剤は、少なくとも１つのポリイソシアネート化合物、少なくとも１つのポリオール、アミノアルコールまたはポリアミン、および好ましくは硬化反応のための少なくとも１つの触媒を含む。ポリイソシアヌレート基が形成されるべきである場合、接着剤は、好ましくはイソシアネート基の三量化用の触媒、ならびにヒドロキシル基に対するイソシアネート基の反応のための触媒を含む。エポキシまたはポリウレタン接着剤は、１つの構成成分または２つの構成成分の接着剤として配合できる。
【００３３】
接着剤層４は、無機充填剤を含有してもよく、これはコストを削減し、その物理的特性を調整し、熱バリアを提供し、追加の難燃性を提供し、および／または膨張剤として作用するために含まれていてもよい。膨張性グラファイトは、膨張剤として作用する無機充填剤の例である。接着剤層４は、好ましくは非気泡性であり、または気泡性の場合は、少なくとも１５０ｋｇ／ｍ３、より好ましくは少なくとも４００ｋｇ／ｍ３、特に少なくとも７００ｋｇ／ｍ３の密度を有する。
【００３４】
図２を参照して、本発明に従って調製された断熱パネル２０は、底部金属性表面仕上げ層２、ポリマー性フォーム層２１（これは樹脂組成物１９の膨張および硬化によって製造され、その厚さの少なくとも一部を通して繊維マット１０で強化される）、可撓性層５、接着剤層４および頂部金属性表面仕上げ層１を含む。接着剤層４は、可撓性層５と頂部金属性表面仕上げ層１とを接着する。可撓性層５は、ポリマー性フォーム層２１に直接接着される。図２に示される実施形態において、任意選択による接着剤層６がポリマー性フォーム層２１と底部金属性表面仕上げ層２とを接着させるが、接着剤層６は省略でき、この場合ポリマー性フォーム層２１は、底部金属性表面仕上げ層２に直接接着する。繊維マット１０は、ポリマー性フォーム層２１の厚さの１０％程度から１００％程度までに及び得るが、好ましくはポリマー性フォーム層２１の厚さの少なくとも５０％程度に及ぶ。良好な例示のために、種々の層の厚さは、図２において正確な縮尺ではない。
【００３５】
断熱パネル２０は、好ましくは２５〜２５０ｍｍの厚さを有する。強化されたフォーム層は、５〜２４０ｍｍの厚さを有していてもよい。
【００３６】
一部の実施形態において、任意選択による接着剤層は、底部金属性表面仕上げ２および強化されたフォーム層２１の間に挿入できる。こうした任意選択による接着剤層は、図１、３および４において参照番号６により示される。任意選択による接着剤層６は、接着剤層４に関して記載されるように、例えばホットメルト接着剤または好ましくは硬化性のタイプ、例えばエポキシ接着剤またはイソシアネート系接着剤であることができる。接着剤層６が存在する場合、それは接着剤層４と同じまたは接着剤層４とは異なることができる。
【００３７】
図１に示される実施形態において、任意選択による接着剤層６は、樹脂組成物１９および繊維マット１０が導入される点の上流において、底部金属性表面仕上げ層２に直接、参照記号Ｃによって示される装置を用いて適用される。金属性表面仕上げシート１がプロファイルされる場合、接着剤層６が表面仕上げシートの凹型領域をその頂部表面が水平になるように埋めてもよい。代替実施形態において、任意選択による接着剤層６、繊維マット１０および樹脂組成物１９が導入される順番は、変動できる。装置Ｃは、一般に装置ＡおよびＢに関して先に記載される通りである。
【００３８】
図３に示されるような代替実施形態において、任意選択による接着剤層６は、底部金属性表面仕上げ２に適用され、次いで繊維マット１０が任意選択による接着剤層６上に直接適用され、続いて樹脂組成物１９および可撓性バリア材料５が適用された後、ローラー１２および１３によって、規定される制限領域１４に材料を通過させる。
【００３９】
図４に示される代替実施形態において、繊維マット１０は、底部金属性表面仕上げ２に直接載置され、続いて任意選択による接着剤層６、次いで樹脂組成物１９および可撓性バリア材料５に載置された後、材料をローラー１２および１３によって規定される制限領域１４に通過させる。
【００４０】
図３および４に示される代替実施形態において、繊維マット１０は、樹脂組成物１９によって部分的に含浸されることに加えて、接着剤層６で部分的に含浸されてもよい。接着剤６は、繊維マット１０よりも薄くなければならず、繊維マット１０の少なくとも一部は、接着剤層６から延び、樹脂組成物１９で含浸されるので、得られたフォーム層２１は、先に記載されたような、その厚さの少なくとも一部を通して繊維マット１０によって強化される。
【００４１】
本発明のフォームラミネートは、種々の構造、断熱および／または装飾用途において使用できる。それらは、内壁もしくは外壁の建設物材料、建物の天井および屋根材料；装飾および／またはファザード材料、配管システムパネル、建物の壁および天井；建物および種々の冷蔵施設のための断熱パネルとして使用できる。ラミネートは、船舶および他の輸送車両のための敷板として使用できる。これらのフォームラミネートは、一般に従来のパネルと同じ用途および同じ様式で使用できる。
【図１】
2015530941.tif 000003
【図２】
2015530941.tif 000004
【図３】
2015530941.tif 000005
【図４】
2015530941.tif 000006
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
金属性表面仕上げシートを有するフォームラミネートを調製するための連続プロセスであって、
ａ）０．２〜１．０ｍｍの厚さを有する金属層を含む底部金属性表面仕上げシートを移動表面上に連続的に供給する工程；
ｂ）繊維マットおよび硬化性の発泡性樹脂組成物を、移動する底部金属性表面仕上げシートに連続的に適用する工程；
ｃ）発泡性樹脂組成物を完全に膨張させる前に、繊維マットおよびフォーム形成樹脂組成物の頂部に実質的に可撓性のバリア材料の層を連続的に適用する工程；
ｄ）発泡性樹脂組成物を完全に膨張させる前に、底部金属性表面仕上げ層、繊維マット、樹脂組成物および可撓性バリア材料を、制限領域に連続的に通過させ、底部金属性表面仕上げ層、繊維マット、樹脂組成物および可撓性バリア材料を共に圧縮し、樹脂組成物が繊維マットに入り込み、繊維マットに含浸し、可撓性バリア材料を樹脂組成物と接触させるようにする工程；
ｅ）次いで可撓性バリア材料の層の頂部に接着剤層の層を連続的に適用する工程；
ｆ）次いで接着剤層の頂部に０．２〜１．０ｍｍの厚さを有する金属層を含む頂部金属性表面仕上げシートを連続的に適用する工程、および
ｇ）得られたアセンブリをダブルバンドラミネータを通過させて、頂部金属性表面仕上げシートを接着剤層と接触させ、アセンブリを所定の厚さに一致させ、必要により樹脂組成物、接着剤層、または樹脂組成物および接着剤層の両方をさらに硬化してフォームラミネートを形成する工程
を含む、プロセス。
【請求項２】
前記発泡性樹脂組成物が、前記頂部金属性表面仕上げ層を適用する前に、少なくとも部分的に膨張され、および少なくとも部分的に硬化される、請求項１に記載のプロセス。
【請求項３】
前記発泡性樹脂組成物がイソシアネート系である、請求項１または２に記載のプロセス。
【請求項４】
前記繊維マットが、２０〜８０ｇ／ｍ２の重量を有するガラス繊維のマットである、請求項１から３のいずれかに記載のプロセス。
【請求項５】
前記可撓性バリア材料が、非多孔性層と片面または両面において接着されたガラスまたは他のセラミック繊維の層を含む多層構造であって、前記可撓性バリア材料の層が２０〜１００ｍｍの厚さを有する、請求項１から４のいずれかに記載のプロセス。
【請求項６】
工程ｂ）の前または工程ｂ）の間に、前記底部金属性層と前記発泡性樹脂組成物との間に接着剤の層を堆積する工程をさらに含む、請求項１から５のいずれかに記載のプロセス。
【請求項７】
前記底部金属性層と前記発泡性樹脂組成物との間に堆積された接着剤層が、繊維マットより前にまたは繊維マットと同時に堆積される、請求項６に記載のプロセス。
【請求項８】
前記発泡性樹脂組成物が２０〜２４０ｍｍの厚さに膨張し、前記断熱パネルが２５〜２５０ｍｍの厚さを有する、請求項１から７のいずれかに記載のプロセス。
【請求項９】
０．２〜１．０ｍｍの厚さを有する金属層を含む底部金属性表面仕上げシート２と、繊維マット１０により少なくともその厚さの一部を通して強化されたポリマー性フォーム層２１であって、このポリマー性フォーム層２１が、底部金属性シート２に直接または間接的に接着されているフォーム層と、繊維強化されたポリマー性フォーム層２１に接着された可撓性バリア材料５の層と、可撓性のバリア材料５に接着された接着剤層４と、接着剤層４によって可撓性バリア材料５の層に接着された０．２〜１．０ｍｍの厚さを有する頂部金属性表面仕上げシート１と、を含む断熱パネル。
【請求項１０】
前記繊維マット１０が２０〜８０ｇ／ｍ２の重量を有する、請求項９に記載の断熱パネル。
【請求項１１】
前記繊維マット１０がガラス繊維のマットである、請求項９または１０に記載の断熱パネル。
【請求項１２】
前記可撓性バリア材料が、非多孔性層の片側または両側に接着されたガラスまたは他のセラミック繊維の層を含む多層構造である、請求項９から１１のいずれかに記載の断熱パネル。
【請求項１３】
前記可撓性バリア材料５の層が２０〜１００ｍｍの厚さを有する、請求項９から１２のいずれかに記載の断熱パネル。
【請求項１４】
底部金属性層２とポリマー性フォーム層２１との間に接着剤６の層をさらに含む、請求項９から１３のいずれかに記載の断熱パネル。
【請求項１５】
ポリマー性フォーム層２１が２０〜２４０ｍｍの厚さを有し、断熱パネルが２５〜２５０ｍｍの厚さを有する、請求項９から１４のいずれかに記載の断熱パネル。
【国際調査報告】
2015530941.tif 000007
2015530941.tif 000008